【事件の表示】
　特願２００５−２１０２３９号「浴室空調装置」拒絶査定不服審判事件〔平成１９年２月１日出願公開、特開２００７−２４４４８号〕について、次のとおり審決する。
【結　論】
　本件審判の請求は、成り立たない。
【理　由】
１．手続の経緯・本願発明
　本願は、平成１７年７月２０日の出願であって、その請求項１に係る発明は、平成２４年５月１４日に手続補正された特許請求の範囲の請求項１に記載された次のとおりのものである。（以下「本願発明」という。）
「浴室内の空気を屋外へ排気する換気ファン及び前記換気ファンを回転駆動する換気ファンモータと前記換気ファンの風路を形成する換気ファンケースを有する換気手段と、
　空気を取り込み、取り込んだ空気を浴室内に供給する給気ファン及び前記給気ファンを回転駆動する給気ファンモータと前記給気ファンの風路を形成する給気ファンケースを有する給気手段を備え、
　前記換気ファン及び前記給気ファンの回転軸を鉛直向きとして、前記換気手段は前記給気手段の上側に前記換気ファン及び前記換気ファンモータが配置されると共に、前記換気ファンケースの上面に前記換気ファンの空気吸込口が配置され、
　装置の下面に、浴室内の空気を吸込む換気吸込口を備え、
　本体ケースの内側で、前記給気ファンケースの側部と前記換気ファンケースの側部に空間が設けられ、前記給気ファンケースの側部に設けられた空間と前記換気ファンケースの側部に設けられた空間が上下に接続されて、前記換気吸込口から前記換気手段の前記空気吸込口の間に、前記給気ファンケース及び前記換気ファンケースの側部に設けた空間を通る換気吸込風路が形成され、
　装置の側面には、他室内の空気を吸込む他室排気吸込口を備え、
　前記他室排気吸込口から前記換気手段の前記空気吸込口の間に、前記換気ファンケースの上部に設けた空間を通る他室排気吸込風路が形成され、
　前記換気手段により換気を行う２４時間換気運転モードを有し、
　浴室内の空気は、装置の下面に設けられた前記換気吸込口から、前記換気吸込風路を介して、前記換気ファンケースの上面に設けられた前記空気吸込口より吸い込まれると共に、他室内の空気は、装置の側面に設けられた前記他室排気吸込口から、前記他室排気吸込風路を介して、前記換気ファンケースの上面に設けられた前記空気吸込口より吸い込まれるようにした
　ことを特徴とする浴室空調装置。」
　
２．引用刊行物
（１）引用刊行物１
　これに対して、当審で通知した拒絶の理由に引用され、本願出願前に頒布された特開２００４−３０１４４７号公報（以下「引用刊行物１」という。）には、図１〜８とともに以下の事項が記載されている。
ア．「本空調装置においても、建物１内の浴室２の天井に空調装置本体３が設けられている。空調装置本体３には空気流路としてダクト４，５，６が取り付けられ、ダクト４は洗面所７に、ダクト５はトイレ８に、ダクト６は建物１外部の外気中にそれぞれ連通されている。空調装置本体３の底面には吸気口として開口部９（図２参照）が設けられ、この開口部９を介して空調装置本体３と浴室２とは連通している。
　・・・（中略）・・・
　そして、空調装置本体３内部に設けられたファン（図示省略）を駆動させることにより、空調装置本体３は、浴室２内、洗面所７内、トイレ８内および屋根裏１１の空気を図の矢印のように吸引し、さらに建物１から外へ排気して、浴室２、洗面所７、トイレ８、および天井裏１１等の換気を行う。」（段落【００１７】〜【００１９】）
イ．「空調装置本体３は外側を覆う本体ケース２１を有し、この本体ケース２１は下部が開口された箱形をなし、下端周縁のフランジ部２１Ａが浴室２の天井２２に取り付けられている。
　本体ケース２１は上部ユニット２３と下部ユニット２４の上下二段に分割されている。下部ユニット２４にはファンケース２５が設けられ、このファンケース２５の一側には吸込口２６が、他側には吹出口２７がそれぞれ形成され、また吸込口２６と吹出口２７と間は循環風路２８となっている。ファンケース２５の内部には、吸込口２６の上方に循環ファン２９が配設されている。循環ファン２９は円筒形状をなした遠心型ファンであり、下部ユニット２４に取り付けられたモータ３０によって回転駆動される。なお、モータ３０はファンケース２５に取り付けられていてもよい。
　下部ユニット２４内には、ファンケース２５の外側に風路３１が設けられ、風路３１の下部は浴室２内に開口した開口部９に連通している。風路３１の上部は、上部ユニット２３と下部ユニット２４との間の隙間Ｓを介して、上部ユニット２３の吸引開口部３２に連通している。また、下部ユニット２４の吹出口２７にはＰＴＣ(Positive Temperature　 Coefficient)ヒータ３３が配設されている。・・・（中略）・・・
　上部ユニット２３にはファンケース３５が設けられ、ファンケース３５の下部に前記吸引開口部３２が形成されている。ファンケース３５内部には吸引開口部３２の上方に換気ファン３６が設けられ、この換気ファン３６は、上部ユニット２３に取り付けられたファンモータ３７により回転駆動される。
　また、上部ユニット２３には、換気ファン３６から離れた側に排気口３８が形成され、この排気口３８はダクトジョイント３９を介してダクト６に接続されている。
　本体ケース２１の側面には吸気口として３つの開口部４１，４２，４３が形成され、これら開口部４１，４２，４３は、それぞれダクトジョイント４４，４５，４６を介してダクト４，５，１５に接続されている。ここで、ダクト４は洗面所７内に、ダクト５はトイレ８内に、ダクト１５は屋根裏１１にそれぞれ連通している。・・・（中略）・・・
　図示していない運転モード指令手段（リモートコントローラ）により、暖房モードが選択されると、モータ３０が駆動して循環ファン２９を回転させるとともに、ＰＴＣヒータ３３が通電されて、浴室２内の空気は矢印Ａのように下部ユニット２４の吸込口２６からファンケース２５内に吸い込まれる。吸い込まれた空気は、循環風路２８を通過した後に、矢印Ｂのように流れてＰＴＣヒータ３３で加熱され、吹出口２７から温風として浴室２に供給される。これにより、浴室２内を暖めることができる。
　運転モード指令手段により、換気モードが選択されると、ファンモータ３７が駆動して換気ファン３６を回転させる。すると、浴室２の空気は矢印Ｃのように下部ユニット２４の開口部９から第１の風路３１内に吸い込まれ、矢印Ｄのように上部ユニット２３と下部ユニット２４間の隙間Ｓを通過した後、矢印Ｅのように上部ユニット２３の吸引開口部３２を介してファンケース３５に流入する。
　また、洗面所７の空気はダクト４を介して開口部４１からファンケース３５に流入する。トイレ８の空気はダクト５を介して矢印Ｆのように開口部４２からファンケース３５に流入する。浴室２、洗面所７およびトイレ８以外の部屋の空気は、各部屋のドアに形成されたアンダーカットを介して、浴室２、洗面所７およびトイレ８に集められ、上記と同様にしてファンケース３５に流入する。
　・・・（中略）・・・
　そして、ファンケース３５に流入した空気は、ファンケース３５内を矢印Ｇのように流れて、矢印Ｈのように排気口３８からダクト６を介して外気中に放出される。これにより、建物１全体の換気を行うことができる。」（段落【００２１】〜【００３２】）
ウ．「図示していない操作手段で常時換気を行う２４時間換気スイッチを設け、これが選択されているときには、建物１全体が必要換気風量（例えば、建物全体の容積の０.５回／ｈｒ）になるように制御することができる。」（段落【００３６】）
　エ．上記イ．の「循環ファン２９は円筒形状をなした遠心型ファン」であること及び図２〜４からみて、循環ファン２９及び換気ファン３６はともに鉛直の軸を有するといえ、上記イ．の「本体ケース２１は上部ユニット２３と下部ユニット２４の上下二段に分割されている」こと及び図２〜４からみて、上部ユニット２３は下部ユニット２４の上方にあって、上部ユニット２３のファンケース３５は下部に吸引開口部３２を有し、隙間Ｓにその下部及び吸引開口部３２が面しているといえる。さらに図２及び３には開口部４１，４２，４３からファンケース３５の下部の空間を介して吸引開口部３２と連通することが図示され当該個所に矢印Ｆが示されている。
　上記ア．〜ウ．の記載事項及びエ．の図示内容を総合すると、引用刊行物１には、以下の発明（以下「引用発明」という。）が記載されていると認められる。
「換気モードで浴室２の空気が吸い込まれ建物１から外へ排気されるファンケース３５内部に設けられる換気ファン３６及び換気ファン３６を回転駆動するファンモータ３７と空気が吸引開口部３２を介して流入し排気口３８から放出されるファンケース３５を有する上部ユニット２３と、
　暖房モードで浴室２内の空気が吸い込まれ、吸い込まれた空気を浴室２に供給する循環ファン２９及び循環ファン２９を回転駆動するモータ３０と空気を吸い込む吸込口２６及び浴室２に供給する吹出口２７が形成されてその間は循環風路２８となっているファンケース２５を有する下部ユニット２４を備え、
　循環ファン２９及び換気ファン３６はともに鉛直の軸を有し、換気ファン３６及びファンモータ３７有する上部ユニット２３は下部ユニット２４の上方にあり、上部ユニット２３のファンケース３５の下部に吸引開口部３２が配置され、
　空調装置本体３の底面には、換気ファン３６により風路３１を介して浴室２の空気を吸い込む吸気口として設けられた開口部９を備え、
　下部ユニット２４内には、ファンケース２５の外側に風路３１が設けられ、風路３１の下部は浴室２内に開口した開口部９に連通し、風路３１の上部は、上部ユニット２３と下部ユニット２４との間の隙間Ｓを介して、上部ユニット２３のファンケース３５の下部の吸引開口部３２に連通し、開口部９から吸引開口部３２を介して浴室２の空気が流入するようなされ、
　本体ケース２１の側面に洗面所７内、トイレ８内及び屋根裏１１の空気を吸引する吸気口として開口部４１，４２，４３が形成され、開口部４１，４２，４３からファンケース３５の下部の空間及び吸引開口部３２を介してファンケース３５に流入するものであって、
　常時換気を行う２４時間換気スイッチを設けられ、
　浴室２の空気は、空調装置本体３の底面の開口部９から風路３１及び隙間Ｓを介して、上部ユニット２３のファンケース３５の下部の吸引開口部３２より吸い込まれると共に洗面所７内、トイレ８内及び屋根裏１１の空気は本体ケース２１の側面に形成された開口部４１，４２，４３からファンケース３５の下部の空間を介して吸引開口部３２より吸い込まれる
　浴室２内、洗面所７内、トイレ８内および屋根裏１１の空気を換気する空調装置。」
　
（２）引用刊行物２
　同じく引用され、本願出願前に頒布された特開平４−１００５０６号公報（以下「引用刊行物２」という。）には、第１〜１０図とともに以下の事項が記載されている。
ア．「この清浄機本体１５内には、清浄空間１３内の空気を吸い込む吸込通路１７および浄化された空気を清浄空間１３内に吹き出す吹出通路１９が形成されている。」（第２頁左上欄第７〜１０行）
イ．「また、ファン２３から発生する騒音は、ファン２３の吸込口２５からの騒音が殆どであるが、従来のファン２３は吸込口２５が空気の流入方向を向いていたので、騒音が吸込口２５がら空気の流入方向に直接放出されるという問題があった。
　・・・（中略）・・・請求項２または３記載の空気清浄機では、清浄機本体から発生する騒音を低減することができる空気清浄機を提供することを目的とする。」（第２頁右上欄第末行〜右下欄第４行）
ウ．「この清浄空間３１の上方には天井板３３が配置されており、この天井板３３には、本発明の空気清浄機３５が配置されている。
　この空気清浄機３５は、清浄機本体３７と、清浄機本体３７内の空気の流通路に設けられたフィルタ３９と、清浄機本体３７内に空気を吸引する２台のファン４１とから構成されている。
　２台のファン４１は、例えば、シロッコファンからなる遠心送風機とされている。
　また、清浄機本体３７には、清浄空間３１内の空気を吸い込む吸込通路４３および浄化された空気を清浄空間３１内に吹き出す吹出通路４５が設けられている。
　即ち、清浄機本体３７内が縦仕切壁４７により仕切られ、左右に吹出通路４５が形成されており、ファン４１の下方には、上記縦仕切壁４７および横仕切壁４９により、吸込通路４３が形成されている。
　・・・（中略）・・・
　さらに、ファン４１には、これらのファン４１に空気を吸い込む吸込口５３が形成され、これらの吸込口５３は、清浄機本体３７に流入する空気の流入側の面と反対側のファン４１の面に形成されている。即ち、ファン４１の吸込口５３は、上方に向けて開口している。」（第３頁左下欄第３行〜右下欄第９行）
エ．「さらに、ファン４１に形成される空気を吸い込む吸込口５３を、清浄機本体３７に流入する空気の流入側の面と反対側の面に形成したので、ファン４１から発生する騒音は殆ど吸込口５３から発生するが、この吸込口５３が、清浄機本体３７に流入する空気の流入方向と反対側の面に形成されており、このため、吸込口５３から発生した騒音は、空気の流入方向へは直接的には放出されない。従って、清浄機本体３７から発生する騒音を低減することができる。」（第５頁右上欄第１２行〜左下欄第１行）
オ．第１図には下方から吸込通路４３を上方に向けて通過する空気が、空気の流通路に設けられたフィルタ３９を通過した後、ファン４１の側部の空間を上方へと通過し、ファンの上方の空間を通ってファン４１の上面の吸込口５３から吸い込まれる様子が矢印で示されている。
　
（３）引用刊行物３
　同じく引用され、本願出願前に頒布された実願昭６２−２２２３１号（実開昭６３−１２９１５３号）のマイクロフイルム（以下「引用刊行物３」という。）には、第１及び２図とともに以下の事項が記載されている。
ア．「天井内部に装着し、室内の空気を排出する換気扇に関するものである。
　従来の技術
　・・・（中略）・・・前記羽根１０４を回転することによって空気を排出する排気口１０６を箱１０１の下部に設け、箱１０１は天井１０７の上に装着して、この天井１０７に空気取入口となるグリル１０８を取付ける。このような構成でモータ１０３が回転すると回転軸１０５に固定した羽根１０４が回転し、グリル１０８から空気が入力排気口１０６より室内の空気が排出されていた。
　考案が解決しようとする問題点
　このような従来の構成では、羽根１０４の吸気はグリル１０８を通って入ってくることになり、羽根１０４の回転による騒音がグリル１０８を通して天井１０７の下の室内に発生することになる。・・・（中略）・・・
　本考案はこのような問題点を解決するもので、室内への騒音の発生を低減・・・（中略）・・・することを目的とするものである。」（明細書第１頁第１２行〜第３頁第１行）
イ．「以上のように本実施例によれば、羽根５から発生した騒音は空間１０を通って吸気口２から室内に伝わるので、騒音は迂回して伝わることとなりレベルは低減されることとなる。」（明細書第４頁第１７〜末行）
　
３．対比・判断
　本願発明と引用発明とを対比すると、後者の「換気モードで浴室２の空気が吸い込まれ建物１から外へ排気されるファンケース３５内部に設けられる換気ファン３６」は、その機能・構成からみて、前者の「浴室内の空気を屋外へ排気する換気ファン」に相当し、以下同様に、後者の「換気ファン３６を回転駆動するファンモータ３７」は前者の「換気ファンを回転駆動する換気ファンモータ」に、後者の「空気が吸引開口部３２を介して流入し排気口３８から放出されるファンケース３５」は前者の「換気ファンの風路を形成する換気ファンケース」に、後者の「上部ユニット２３」は前者の「換気手段」に、後者の「暖房モードで浴室２内の空気が吸い込まれ、吸い込まれた空気を浴室２に供給する循環ファン２９」は前者の「空気を取り込み、取り込んだ空気を浴室内に供給する給気ファン」に、後者の「循環ファン２９を回転駆動するモータ３０」は前者の「給気ファンを回転駆動する給気ファンモータ」に、後者の「空気を吸い込む吸込口２６及び浴室２に供給する吹出口２７が形成されてその間は循環風路２８となっているファンケース２５」は前者の「給気ファンの風路を形成する給気ファンケース」に、後者の「下部ユニット２４」は前者の「給気手段」に、後者の「循環ファン２９及び換気ファン３６はともに鉛直の軸を有」する態様は前者の「換気ファン及び給気ファンの回転軸を鉛直向きと」する態様に、後者の「換気ファン３６及びファンモータ３７有する上部ユニット２３は下部ユニット２４の上方にあ」る態様は前者の「換気手段は給気手段の上側に換気ファン及び換気ファンモータが配置される」態様に、後者の「空調装置本体３の底面には、換気ファン３６により」「浴室２の空気を吸い込む吸気口として設けられた開口部９」は前者の「装置の下面に、浴室内の空気を吸込む換気吸込口」に、後者の「本体ケース２１の側面に洗面所７内、トイレ８内及び屋根裏１１の空気を吸引する吸気口として開口部４１，４２，４３が形成され」る態様は前者の「装置の側面には、他室内の空気を吸込む他室排気吸込口を備え」る態様に、後者の「常時換気を行う２４時間換気スイッチを設け」ている動作に係る態様は前者の「換気手段により換気を行う２４時間換気運転モードを有」することに、後者の「浴室２内、洗面所７内、トイレ８内および屋根裏１１の空気を換気する空調装置」は前者の「浴室空調装置」にそれぞれ相当する。
　また、後者の「上部ユニット２３のファンケース３５の下部に」配置された「吸引開口部３２」は、「吸引開口部３２を介して浴室２の空気が流入する」から、前者の「換気ファンケースの上面に」配置された「換気ファンの空気吸込口」と、浴室の空気を吸引する「換気ファンケースに」配置された「換気ファンの空気吸込口」である点で共通する。
　後者は「下部ユニット２４内には、ファンケース２５の外側に風路３１が設けられ、風路３１の下部は浴室２内に開口した開口部９に連通し、風路３１の上部は、上部ユニット２３と下部ユニット２４との間の隙間Ｓを介して、上部ユニット２３のファンケース３５の下部の吸引開口部３２に連通し、開口部９から吸引開口部３２を介して浴室２の空気が流入するようなされ」るものであるから、後者の「風路３１」及び「上部ユニット２３と下部ユニット２４との間の隙間Ｓ」は「開口部９から吸引開口部３２を介して浴室２の空気が流入する」風路であるといえ、前者の「本体ケースの内側で、前記給気ファンケースの側部と前記換気ファンケースの側部に空間が設けられ、前記給気ファンケースの側部に設けられた空間と前記換気ファンケースの側部に設けられた空間が上下に接続されて、前記換気吸込口から前記換気手段の前記空気吸込口の間に、前記給気ファンケース及び前記換気ファンケースの側部に設けた空間を通る換気吸込風路が形成され」ることとは、「本体ケースの内側で、給気ファンケースの側部に空間が設けられ、換気吸込口から換気手段の空気吸込口の間に、給気ファンケースの側部に設けた空間を通る換気吸込風路が形成され」る点で共通する。
　後者は「開口部４１，４２，４３からファンケース３５の下部の空間及び吸引開口部３２を介してファンケース３５に流入する」のであるから、ファンケース３５の下部の空間は前者の「他室排気吸込口から前記換気手段の前記空気吸込口の間に」「設けた空間を通る他室排気吸込風路が形成さ」れることに対応する。
　後者の「浴室２の空気は、空調装置本体３の底面の開口部９から風路３１及び隙間Ｓを介して、上部ユニット２３のファンケース３５の下部の吸引開口部３２より吸い込まれると共に洗面所７内、トイレ８内及び屋根裏１１の空気は本体ケース２１の側面に形成された開口部４１，４２，４３からファンケース３５の下部の空間を介して吸引開口部３２より吸い込まれる」ことは、前者の「浴室内の空気は、装置の下面に設けられた前記換気吸込口から、前記換気吸込風路を介して、前記換気ファンケース」「に設けられた前記空気吸込口より吸い込まれると共に、他室内の空気は、装置の側面に設けられた前記他室排気吸込口から、前記他室排気吸込風路を介して、前記換気ファンケース」「に設けられた前記空気吸込口より吸い込まれるようにした」ことに対応する。
　そうすると、両者は、
「浴室内の空気を屋外へ排気する換気ファン及び前記換気ファンを回転駆動する換気ファンモータと前記換気ファンの風路を形成する換気ファンケースを有する換気手段と、
　空気を取り込み、取り込んだ空気を浴室内に供給する給気ファン及び前記給気ファンを回転駆動する給気ファンモータと前記給気ファンの風路を形成する給気ファンケースを有する給気手段を備え、
　前記換気ファン及び前記給気ファンの回転軸を鉛直向きとして、前記換気手段は前記給気手段の上側に前記換気ファン及び前記換気ファンモータが配置されると共に、前記換気ファンケースに前記換気ファンの空気吸込口が配置され、
　装置の下面に、浴室内の空気を吸込む換気吸込口を備え、
　本体ケースの内側で、前記給気ファンケースの側部に空間が設けられ、前記換気吸込口から前記換気手段の前記空気吸込口の間に、前記給気ファンケースの側部に設けた空間を通る換気吸込風路が形成され、
　装置の側面には、他室内の空気を吸込む他室排気吸込口を備え、
　前記他室排気吸込口から前記換気手段の前記空気吸込口の間に、他室排気吸込風路が形成され、
　前記換気手段により換気を行う２４時間換気運転モードを有し、
　浴室内の空気は、装置の下面に設けられた前記換気吸込口から、前記換気吸込風路を介して、前記換気ファンケースに設けられた前記空気吸込口より吸い込まれると共に、他室内の空気は、装置の側面に設けられた前記他室排気吸込口から、前記他室排気吸込風路を介して、前記換気ファンケースに設けられた前記空気吸込口より吸い込まれるようにした
　ことを特徴とする浴室空調装置。」である点で一致し、以下の点で相違しているものと認められる。
　
相違点Ａ：換気ファンの空気吸込口に関して、本願発明が「換気ファンケースの上面に換気ファンの空気吸込口が配置」されているのに対して、引用発明は「上部ユニット２３のファンケース３５の下部に吸引開口部３２が配置」されている点。
　
相違点Ｂ：換気吸込風路に関して、本願発明が「換気ファンケースの側部に空間が設けられ、前記給気ファンケースの側部に設けられた空間と前記換気ファンケースの側部に設けられた空間が上下に接続されて」おり、「給気ファンケース及び換気ファンケースの側部に設けた空間を通る換気吸込風路」が形成されているのに対して、引用発明は「下部ユニット２４内には、ファンケース２５の外側に風路３１が設けられ」るものの、「風路３１の上部は、上部ユニット２３と下部ユニット２４との間の隙間Ｓを介して、上部ユニット２３のファンケース３５の下部の吸引開口部３２に連通し」ており、上部ユニット２３のファンケース３５の側部に風路が形成されていない点。
　
相違点Ｃ：他室排気吸込風路に関して、本願発明が「換気ファンケースの上部に設けた空間を通る」ものであるのに対して、引用発明は「開口部４１，４２，４３からファンケース３５の下部の空間及び吸引開口部３２を介してファンケース３５に流入するもの」である点。
　
　そこで、上記相違点について検討する。
（１）相違点Ａについて
　引用刊行物２には、天井に配置される空気清浄機において、従来、吸込通路１７を介して空気を吸い込むファン２３の吸込口２５が空気の流入方向を向いていたので、騒音が吸込口２５から空気の流入方向に直接放出されるという問題を解決して、騒音を低減するために、ファン４１の吸込口５３を、流入する空気の流入側の面と反対側の面に形成して、上方に向けて開口することにより、下方の吸込通路４３，ファン４１の側部の空間を介して上面の吸込口５３に空気を吸い込むようになすことが示されている。
　引用刊行物２に記載の事項は空気清浄機におけるものであるが、引用発明と同じく天井に配置されるものであって、ファンによる騒音については共通する事項といえる。そして、引用発明のファンの１つである換気ファン３６について、騒音は低減すべく、上記引用刊行物２に記載の事項を適用して、吸引開口部３２をファンケース３５の上面に設けることは当業者が必要に応じて適宜なし得たことである。
　換気ファンについて騒音が問題であることは、例えば引用刊行物３にも示されており、引用発明の換気ファンの騒音を低減すべく、引用刊行物２に記載の事項を適用しようとすることに格別の困難性はない。
　したがって、相違点Ａに係る本願発明の構成とすることは、当業者が容易になし得たことといわざるをえない。そしてそのことによる格別の効果もない。
　なお、本願発明は給気ファンのファンケースの吸込口の向きを限定しておらず、引用発明の全てのファンについて上記引用刊行物２に記載の事項を適用しても本願発明と同様である。
　
（２）相違点Ｂについて
　上記（１）で述べたように、換気ファン３６の吸引開口部３２をファンケース３５の上面に設けるとき、下部ユニット２４のファンケース２５の外側に風路３１の上部からさらに、上部ユニット２３の換気ファン３６のファンケース３５の吸引開口部３２がある上面にまで風路を設ける必要があることは自明であって、下部ユニットの風路３１に倣って、上部ユニットにおいてもファンケース３５の外側に風路を設けてこれを連通させることは、当業者が格別の困難性を要することなくなし得た設計的事項である。
　上記引用刊行物２に記載された事項においても、ファン４１の下方にある吸込通路４３に、上下に接続されるファン４１の側部の空間を介して、ファン４１の上方の面の吸込口５３につながる風路を形成しており、このことからも上記のようになすことに格別の困難性はない。
　したがって、相違点Ｂに係る本願発明の構成とすることも、当業者が容易になし得たことである。そしてそのことによる格別の効果もない。
　なお、引用刊行物２のフィルタ３９は空気の流通路に設けられるものであって、例えフィルタを設けるとしても上記のように風路を設けることが出来ないというものではない。
　
（３）相違点Ｃについて
　上記（１）で述べたようなすとき、換気ファン３６の吸引開口部３２はファンケース３５の上面にあるから、開口部４１，４２，４３からの空気についても浴室の空気と同様に、ファンケース３５の上面に導く必要があることは自明であり、そのための空間をファンケース３５の上部に設けることも当業者が適宜なし得た設計的事項である。
　したがって、相違点Ｃに係る本願発明の構成とすることも、当業者が容易になし得たことである。そしてそのことによる格別の効果もない。
　
　また、上記相違点Ａ〜Ｃを合わせ考えても、本願発明の効果が格別であるとはいえない。
　
４．むすび
　したがって、本願発明は、引用発明、引用刊行物２及び３に記載された事項に基づいて、当業者が容易に発明をすることができたものであるから、特許法第２９条第２項の規定により特許を受けることができない。そうすると、本願の他の請求項に係る発明について検討するまでもなく、本願は拒絶すべきものである。
　よって、結論のとおり審決する